(57)【要約】【課題】体内に配置して光免疫療法を施すことができ、コンパクトな形状やサイズとしやすい発光型治療具を提供する。【解決手段】この発光型治療具１０は光免疫療法に用いられ、磁性体３１及びその外周に巻かれたコイル３３を有し、外部の送電手段から付与される磁束の変化によって発電する受電コイル３０と、受電コイル３０に接続された共振コンデンサー４０と、受電コイル３０によって発電された電力により、感光物質と反応する光を照射する発光体５０とを備え、受電コイル３０と共振コンデンサー４０と発光体５０とが、フレキシブル配線基板６０に実装されて、全体がカバー７０によって覆われており、カバー７０の、発光体５０の光が照射される部分は、光を透過する発光部７５をなしている。【選択図】図１
2019130166.tif 000002
【特許請求の範囲】
【請求項１】
患部に付着された感光物質に対して、前記感光物質と反応する光を体内にて前記患部に照射することにより、患部の治療を行う光免疫療法に用いられる発光型治療具であって、
磁性体及び該磁性体の外周に巻かれたコイルを有し、外部の送電手段から付与される磁束の変化によって発電する受電コイルと、
該受電コイルに接続された共振コンデンサーと、
前記受電コイルによって発電された電力によって、前記感光物質と反応する光を照射する発光体とを備え、
前記受電コイルと、前記共振コンデンサーと、前記発光体とが、フレキシブル配線基板に実装されて、全体がカバーによって覆われており、
前記カバーの、前記発光体の光が照射される部分は、光を透過する発光部をなしていることを特徴とする発光型治療具。
【請求項２】
前記フレキシブル配線基板上に、複数の前記発光体が実装されている、請求項１記載の発光型治療具。
【請求項３】
前記カバーは、所定方向に長く伸びるカプセル状をなしており、
前記フレキシブル配線基板は長板状をなし、その長手方向の一端部がＬ字状に折曲されて折曲部が設けられており、
前記折曲部の外側に前記発光体が装着されて前記カバーの先端部に配置され、前記カバーの先端部に前記発光部が設けられている、請求項１記載の発光型治療具。
【請求項４】
前記折曲部の内側に、前記共振コンデンサーが配置されており、
前記フレキシブル配線基板の、前記共振コンデンサーに対して前記折曲部と反対側に隣接した位置に、前記受電コイルが配置されている、請求項３記載の発光型治療具。
【請求項５】
更に、チューブ状をなしたチューブステントを有しており、
前記フレキシブル配線基板は、前記チューブステントの外周に筒状をなして巻かれるように配置され、このフレキシブル配線基板の外周に沿って、複数の前記発光体が所定間隔で実装されている、請求項１又は２記載の発光型治療具。
【請求項６】
前記フレキシブル配線基板は、箱型に折曲されており、箱型をなす前記フレキシブル配線基板の外周面側に前記発光体が実装されている、請求項１又は２記載の発光型治療具。
【請求項７】
前記発光体は、発光強度の放射束が１００ｍＷ以上で、且つ、照射時間１００時間での、累積の照射エネルギーが２００Ｊ／ｃｍ２以上となるようにされている、請求項１〜６のいずれか１項に記載の発光型治療具。
【請求項８】
ガン組織からなる患部に密着して配置されて、前記患部に選択的に付着された前記感光物質に、前記発光体によって、感光性の光を照射するために用いられる、請求項１〜７のいずれか１項に記載の発光型治療具。
【請求項９】
前記発光体の発光面は、前記カバーの前記発光部の内面に対して、２ｍｍ以下の距離となるように配置されている、請求項１〜８のいずれか１項に記載の発光型治療具。
【請求項１０】
前記カバーの前記発光部の外面は、前記患部に対して接着性を有する生体用接着剤に、接着可能な材料で形成されている、請求項１〜９のいずれか１項に記載の発光型治療具。
【請求項１１】
前記カバーの外周に、前記患部に係合する係合手段が設けられている、請求項１〜１０のいずれか１項に記載の発光型治療具。
【請求項１２】
前記磁性体は、温度によって透磁率が変化する性質を有しており、前記受電コイルの発電時に前記受電コイルが所定温度以上になると、前記透磁率の変化によって受電効率が低下して温度が低下するように構成されている、請求項１〜１１のいずれか１項に記載の発光型治療具。
【請求項１３】
前記カバーは、前記受電コイルと、前記共振コンデンサーと、前記発光体とが実装されたフレキシブル配線基板を埋設するように一体成形された、透明性を有する樹脂部材で形成されている、請求項１〜１２のいずれか１項に記載の発光型治療具。
【発明の詳細な説明】
【技術分野】
【０００１】
本発明は、患部に付着された感光物質に対して、感光物質と反応する光を体内にて患部に照射することにより、患部の治療を行う光免疫療法に用いられる、発光型治療具に関する。
【背景技術】
【０００２】
ガンに対する治療法は様々なものがあるが、その一つとして、下記特許文献１には、免疫増強作用のあるシアニン系色素を癌巣に投与して一定の光を照射することにより、生体の免疫機能を増強する、光免疫療法が記載されている。同特許文献１には、光免疫療法のための装置として、光源部、光誘導部及び光導入路と薬液流入路から構成される注入部を備え、光源部としてレーザー発振器または発光ダイオードを使用し、更に、薬液としてシアニン色素を使用するようにした、光免疫療法による癌治療装置が開示されている（請求項１〜３参照）。
【０００３】
また、近年、新しいタイプの光免疫療法（近赤外光線免疫療法ともいわれる）が進展しつつある。この光免疫療法は、抗体と光吸収物質（感光物質ともいう。例えば、ＩＲ７００）との結合体を、静脈注射等により体内に投与して、この結合体をガン細胞に付着させた後、７００〜８５０ｎｍ程の近赤外光を人体に照射することで、光吸収物質が光を吸収することでエネルギーや熱を生じさせ、結合体が結合したガン細胞のみを破壊（ガン細胞の脂質二重膜に、障害を急速に進ませて、細胞質の内容物を漏出させ、壊死に至らせる）するというものである。
【先行技術文献】
【特許文献】
【０００４】
【特許文献１】特開平７−１４４０２６号公報
【発明の概要】
【発明が解決しようとする課題】
【０００５】
上記特許文献１における光免疫療法では、レーザー発振器を体外から人体に照射するものであるので、比較的規模の大きな医療施設でなければ、治療を施すことができず、患者にとって負担であった。
【０００６】
また、近赤外光線免疫療法においても、これまでは体外から近赤外光線を照射していたが、治療効果が十分に得られないことがあり、体内に配置できる構造の治療具が求められていた。ただし、体内に配置できる治療具としては、人体への侵襲性を考慮して、なるべくコンパクトであることが必要である。
【０００７】
本発明は、体内に配置して光免疫療法を施すことができ、コンパクトな形状やサイズとしやすい、発光型治療具を提供することを目的とする。
【課題を解決するための手段】
【０００８】
本発明の発光型治療具は、患部に付着された感光物質に対して、前記感光物質と反応する光を体内にて前記患部に照射することにより、患部の治療を行う光免疫療法に用いられるものであって、磁性体及び該磁性体の外周に巻かれたコイルを有し、外部の送電手段から付与される磁束の変化によって発電する受電コイルと、該受電コイルに接続された共振コンデンサーと、前記受電コイルによって発電された電力によって、前記感光物質と反応する光を照射する発光体とを備え、前記受電コイルと、前記共振コンデンサーと、前記発光体とが、フレキシブル配線基板に実装されて、全体がカバーによって覆われており、前記カバーの、前記発光体の光が照射される部分は、光を透過する発光部をなしていることを特徴とするものである。
【０００９】
本発明によれば、発光型治療具を体内に挿入し、抗原抗体反応などの方法によって感光物質を付着された患部に、前記発光型治療具の発光部を接触又は近接させて配置し、外部の送電手段から磁束の変化を与えて前記受電コイルを発電させ、前記発光体を発光させることにより、患部に付着された感光物質を反応させて、患部に対する治療効果を付与することができる。また、受電コイルと、共振コンデンサーと、発光体とが、フレキシブル配線基板に実装されているので、フレキシブル配線基板を屈曲又は折曲させることにより、レイアウト上コンパクトとなるように、かつ、発光面が所望の方向を向くように発光体を設置することができ、コンパクトな形状やサイズの発光型治療具を得ることができる。
【００１０】
本発明の発光型治療具の一態様としては、前記フレキシブル配線基板上に、複数の前記発光体が実装されているものである。この態様によれば、発光体を複数有することにより、発光強度を高めたり、複数の方向に発光させたりすることができる。
【００１１】
本発明の発光型治療具の一態様としては、前記カバーは、所定方向に長く伸びるカプセル状をなしており、前記フレキシブル配線基板は長板状をなし、その長手方向の一端部がＬ字状に折曲されて折曲部が設けられており、前記折曲部の外側に前記発光体が装着されて前記カバーの先端部に配置され、前記カバーの先端部に前記発光部が設けられている。  この態様によれば、フレキシブル配線基板のＬ字状の折曲部の外側に発光体が配置され、発光体がカバーの先端部に位置しているので、発光型治療具の更なるコンパクト化を図ることができる。また、カバー先端部に発光部が設けられているので、発光部を患部に向けて配置しやすくすることができる。
【００１２】
本発明の発光型治療具の一態様としては、前記折曲部の内側に、前記共振コンデンサーが配置されており、前記フレキシブル配線基板の、前記共振コンデンサーに対して前記折曲部と反対側に隣接した位置に、前記受電コイルが配置されている。
【００１３】
この態様によれば、折曲部の内側に、共振コンデンサーが配置されており、フレキシブル配線基板の、共振コンデンサーに対して折曲部と反対側に隣接した位置に、受電コイルが配置されているので、カプセル状をなしたカバー内において、発光体と、共振コンデンサーと、受電コイルとを、カバー内のスペースを有効に活用した、効率的なレイアウトで配置することでき、治療具の更なるコンパクト化を図ることができる。
【００１４】
本発明の発光型治療具の一態様としては、前記カバーは、前記受電コイルと、前記共振コンデンサーと、前記発光体とが実装されたフレキシブル配線基板を埋設するように一体成形された、透明性を有する樹脂部材で形成されている。
【００１５】
この態様によれば、それぞれの部品をしっかりと固定し、絶縁性を高めて覆うことができると共に、樹脂部材で全体が一定化されるので、優れた強度が得られる。また、製造作業性がよい。
【００１６】
本発明の発光型治療具の一態様としては、更に、チューブ状をなしたチューブステントを有しており、前記フレキシブル配線基板は、前記チューブステントの外周に筒状をなして巻かれるように配置され、このフレキシブル配線基板の外周に沿って、複数の前記発光体が所定間隔で実装されている。
【００１７】
この態様によれば、フレキシブル配線基板は、チューブステントの外周に巻かれるようにして配置される筒状をなしているので、チューブステントの外周に発光体が装着された発光型治療具を容易に製造することができる。そして、発光型治療具を、例えば内壁にガン組織等の患部を有する管状器官に挿入することにより、管状器官の患部に発光部を密接させた状態で発光型治療具を配置させて、光免疫療法を効果的に施すことができる。
【００１８】
本発明の発光型治療具の一態様としては、前記フレキシブル配線基板は、箱型に折曲されており、箱型をなす前記フレキシブル配線基板の外周面側に前記発光体が実装されている。この態様によれば、箱型をなすフレキシブル配線基板の外周面側に発光体が実装されているので、例えば、発光型治療具を飲み込んで患部に到達させたり、又は、発光型治療具を患部に埋め込むように配置することにより、患部に対して効果的に光を照射することができる。
【００１９】
本発明の発光型治療具の一態様としては、前記発光体は、発光強度の放射束が１００ｍＷ以上で、且つ、照射時間１００時間での、累積の照射エネルギーが２００Ｊ／ｃｍ２以上となるようにされている。
【００２０】
この態様によれば、発光体は、発光強度の放射束が１００ｍＷ以上で、且つ、照射時間が１００時間での、累積の照射エネルギーが２００Ｊ／ｃｍ２以上となるようにされているので、患部に対して光免疫療法に有効とされる、十分な発光強度及びエネルギーで、所定波長の光を照射することができ、光免疫療法の治療効果を高めることができる。
【００２１】
本発明の発光型治療具の一態様としては、ガン組織からなる患部に密着して配置されて、前記患部に選択的に付着された前記感光物質に、前記発光体によって、感光性の光を照射するために用いられる。この態様によれば、ガン組織からなる患部に選択的に付着された感光物質に、発光体によって、感光性の光を近接して長時間にわたって効果的に照射することができるので、照射エネルギーを多くすることができ、感光物質の光反応によってガン組織を効果的に破壊することができる。
【００２２】
本発明の発光型治療具の一態様としては、前記発光体の発光面は、前記カバーの前記発光部の内面に対して、２ｍｍ以下の距離となるように配置されている。
【００２３】
この態様によれば、発光体の発光面が、カバーの発光部の内面に対して、２ｍｍ以下の距離となるように、フレキシブル配線基板に実装されているので、発光体の発光面が、患部に近接した位置となるように発光型治療具を配置することができ、光免疫療法の治療効果をより高めることができる。
【００２４】
本発明の発光型治療具の一態様としては、前記カバーの前記発光部の外面は、前記患部に対して接着性を有する生体用接着剤に、接着可能な材料で形成されている。
【００２５】
この態様によれば、カバーの発光部の外面は、患部に対して接着性を有する生体用接着剤に、接着可能な材料で形成されているので、例えば、人体を切開した後、患部に治療具を配置して、生体用接着剤によって、カバーの発光部外面と患部とを接着することで、患部に発光部を密着させて配置することができ、光免疫療法の治療効果をより高めることができる。
【００２６】
本発明の発光型治療具の一態様としては、前記カバーの外周に、前記患部に係合する係合手段が設けられている。
【００２７】
この態様によれば、カバーの外周に、前記患部に係合する係合手段が設けられているので、カバーをそのまま治療具の配置作業に活用することができるため、例えば、人体を切開した後、患部に発光型治療具を挿入するだけの作業で、係合手段によって患部に係合させることができ、発光型治療具の配置作業の迅速化を図ることができる。
【００２８】
本発明の発光型治療具の一態様としては、前記磁性体は、温度によって透磁率が変化する性質を有しており、前記受電コイルの発電時に前記受電コイルが所定温度以上になると、前記透磁率の変化によって受電効率が低下して温度が低下するように構成されている。
【００２９】
この態様によれば、磁性体は、温度によって透磁率が変化する性質を有しており、受電コイルの発電時に受電コイルが所定温度以上になると、透磁率の変化によって受電効率が低下して温度が低下するように構成されているので、受電コイルが所定温度以上になることを防ぐ、すなわち、過温度保護機能を付与することができる。
【発明の効果】
【００３０】
本発明によれば、発光型治療具を体内に挿入し、抗原抗体反応などの方法によって感光物質を付着された患部に、前記発光型治療具の発光部を接触又は近接させて配置し、外部の送電手段から磁束の変化を与えて前記受電コイルを発電させ、前記発光体を発光させることで、患部に付着された感光物質を反応させて、患部に対する治療効果を付与することができる。また、受電コイルと、共振コンデンサーと、発光体とが、フレキシブル配線基板に実装されているので、フレキシブル配線基板を屈曲又は折曲させることにより、レイアウト上コンパクトとなるように、かつ、発光面が所望の方向を向くように発光体を設置することができ、コンパクトな形状やサイズの発光型治療具を得ることができる。
【図面の簡単な説明】
【００３１】
【図１】本発明の発光型治療具の、第１実施形態を示す斜視図。
【図２】第１実施形態の発光型治療具の断面説明図。
【図３】第１実施形態の発光型治療具の、製造工程を示しており、（ａ）は第１工程の説明図、（ｂ）は第２工程の説明図、（ｃ）は第３工程の説明図。
【図４】第１実施形態の発光型治療具の、製造工程を示しており、（ａ）は第４工程の説明図、（ｂ）は第５工程の説明図、（ｃ）は第６工程の説明図。
【図５】第１実施形態の発光型治療具の、製造工程を示しており、（ａ）は第７工程の説明図、（ｂ）は第８工程の説明図、（ｃ）は第９工程の説明図。
【図６】第１実施形態の発光型治療具の、使用状態を示す説明図。
【図７】第１実施形態の発光型治療具における、カバーの他形状を示し、（ａ）は第１他形状の説明図、（ｂ）は第２他形状の説明図、（ｃ）は第３他形状の説明図。
【図８】第１実施形態の発光型治療具における、回路構造を示す斜視図。
【図９】本発明の発光型治療具の、第２実施形態を示し、（ａ）は断面説明図、（ｂ）はフレキシブル配線基板及びそれに実装された発光体等の斜視図。
【図１０】第２実施形態の発光型治療具の、使用状態を示す説明図。
【図１１】本発明の発光型治療具の、第３実施形態を示し、（ａ）は断面説明図、（ｂ）はフレキシブル配線基板及びそれに実装された発光体等の斜視図、（ｃ）は（ｂ）の展開図。
【図１２】本発明の発光型治療具の、受電コイルの過温度保護機能を説明するためのものであって、（ａ）は、送電手段における周波数と、発光型治療具の受電コイルによる受電量又は受電効率との関係を示す図表、（ｂ）は受電コイルの磁性体の温度特性が正特性を有する場合の、透磁率と温度との関係を示す図表、（ｃ）は受電コイルの磁性体の温度特性が負特性を有する場合の、透磁率と温度との関係を示す図表。
【発明を実施するための形態】
【００３２】
以下、添付の図面を参照しながら、本発明の発光型治療具の、第１実施形態についてさらに詳しく説明する。
【００３３】
なお、図１には、第１実施形態の発光型治療具１０の斜視図、図２には、同発光型治療具１０の断面説明図、図３（ａ）には、第１実施形態の発光型治療具１０における製造工程の、第１工程の説明図、図３（ｂ）には、同製造工程の第２工程の説明図、図３（ｃ）には、同製造工程の第３工程の説明図、図４（ａ）には、同製造工程の第４工程の説明図、図４（ｂ）には、同製造工程の第５工程の説明図、図４（ｃ）には、同製造工程の第６工程の説明図、図５（ａ）には、同製造工程の第７工程の説明図、図５（ｂ）には、同製造工程の第８工程の説明図、図５（ｃ）には、同製造工程の第９工程の説明図、図６には、第１実施形態の発光型治療具の使用状態を示す説明図、図７には、第１実施形態の発光型治療具のカバーの他形状であって、（ａ）は第１他形状の説明図、（ｂ）は第２他形状の説明図、（ｃ）は第３他形状の説明図、図８には、第１実施形態の発光型治療具における回路構造を示す斜視図が、それぞれ示されている。
【００３４】
この発光型治療具は、患部に付着された感光物質に対して、感光物質と反応する光を体内にて患部に照射することにより、患部の治療を行う光免疫療法（近赤外光線免疫療法）に用いられるものである。この実施形態における発光型治療具１０は、図６に示すように、ガン組織からなる患部２００に密着して配置されて、ガン組織からなる患部２００に抗原抗体反応によって予め選択的に付着された感光物質に、発光型治療具１０の発光体５０から感光性の光を照射し、感光物質を光によって反応させ、ガン細胞を死滅させるために用いられる。
【００３５】
図１及び図２に示すように、第１実施形態の発光型治療具１０は、磁性体３１及びこの磁性体３１の外周に巻かれたコイル３３を有し、外部の送電手段２０（図８参照）から付与される磁束の変化によって発電する受電コイル３０と、この受電コイル３０に接続された共振コンデンサー４０と、受電コイル３０によって発電された電力によって、感光物質と反応する光を照射する発光体５０とを備えており、受電コイル３０と、共振コンデンサー４０と、発光体５０とが、フレキシブル配線基板６０に実装されて、全体がカバー７０によって覆われた構造となっている。
【００３６】
図１や図２に示すように、この実施形態におけるカバー７０は、所定方向に長く伸びると共に、その長手方向の先端部７１及び基端部７３の外周面が曲面状に形成された、カプセル状をなしている。また、カバー７０の、発光体５０の光が照射される部分は、光を透過する発光部７５をなしている。なお、この実施形態のカバー７０においては、その先端部７１に発光部７５が設けられている。
【００３７】
上記カバー７０の内部には、受電コイル３０と共振コンデンサー４０と発光体５０とが実装されたフレキシブル配線基板６０が収容されており、その結果、受電コイル３０、共振コンデンサー４０、発光体５０、及びフレキシブル配線基板６０の全体が、カバー７０によって覆われるようになっている。また、フレキシブル配線基板６０は、発光体５０がカバー７０の先端部７１に位置するように収容されており、発光部７５の内面に対して、発光体５０の発光面５１が対向するように配置されている。なお、この実施形態では、図１、２に示すように、カバー７０が、受電コイル３０、共振コンデンサー４０、及び発光体５０を実装したフレキシブル配線基板６０を埋設する透明性を有する一体の樹脂で形成されている。
【００３８】
ただし、カバー７０を、受電コイル３０、共振コンデンサー４０、及び発光体５０を実装したフレキシブル配線基板６０を収容するカプセルとし、カバー７０と、受電コイル３０、共振コンデンサー４０、及び発光体５０を実装したフレキシブル配線基板６０との隙間に、透明性を有する樹脂材を充填した構造としてもよい。また、カバー７０と、受電コイル３０、共振コンデンサー４０、及び発光体５０を実装したフレキシブル配線基板６０との隙間が空洞となっていてもよい。いずれの場合も、共振コンデンサー４０、及び発光体５０を実装したフレキシブル配線基板６０がカバー７０内で所定位置に固定されるようにすることが好ましい。
【００３９】
上記カバー７０は、例えば、エポキシ樹脂やポリカーボネート等の合成樹脂によって形成することができる。この実施形態では、図５（ａ）〜（ｃ）に示すように、受電コイル３０、共振コンデンサー４０、及び発光体５０を実装したフレキシブル配線基板６０を、金型１５０、１６０内に配置して（同図（ａ））、金型１５０、１６０を閉じ、その内部に透明性を有する樹脂を射出し（同図（ｂ））、金型１５０、１６０を開いて成形品を取出す（同図（ｃ））ことによって、カバー７０が形成されている。そして、カバー７０の両端部７１，７３の外周が曲面状をなし、カバー全体が透光性を有している。
【００４０】
なお、カバー７０の発光部７５以外の箇所を、所定の色で着色してもよい。ただし、カバー７０の、発光体５０の光が照射される部分は、光透過性にして前記発光部７５を設ける必要がある。更に図６に示すように、カバー７０は、ガン組織等の患部２００に対して密着性を有する生体用接着剤３００に対して、接着可能な材料で形成されていることが好ましい。この場合、カバー７０の、少なくとも発光部７５の外面が、生体用接着剤３００に接着可能な材料で形成されていればよい。
【００４１】
なお、図２に示すように、カバー７０の外径Ｘ１（言い換えると発光型治療具１０の外径）は、好ましくは４ｍｍ以下とされ、より好ましくは３ｍｍ以下とされる。更に、カバー７０の軸方向に沿った長さＸ２（言い換えると発光型治療具１０の長さ）は、好ましくは８ｍｍ以下とされ、より好ましくは６ｍｍ以下とされる。
【００４２】
また、カバーは、図７（ａ）〜（ｃ）に示すように、その外周に、患部２００に係合する係合手段を設けた形状としてもよい。
【００４３】
図７（ａ）のカバー８０は、先端部８１に近接した部分の外周に、基端部８３側に向けて斜めに突出した突起８５が設けられている。なお、突起８５の、カバー８０の基端部８３側の端面は、カバー８０の長手方向に対して直角となっている。前記突起８５は、カバー８０の周方向に均等な間隔で複数設けたり、或いは、カバー８０の全周に亘って環状に設けたりしてもよい。そして、このカバー８０を備える発光型治療具１１は、カバー８０の先端部８１が患部２００内に挿入されたとき、突起８５が患部２００内で係合することで、患部２００に配置される。すなわち、カバー８０と一体に設けられた突起８５が、患部２００に係合する係合手段をなしている。
【００４４】
図７（ｂ）のカバー９０は、先端部９１の断面が、矢印のような形状をなしており、その最先端が鋭利な突起９５をなしている。そして、先端部９１の基端側が、カバー９０の胴部に対して突出する突起９７をなしている。なお、突起９７の、カバー９０の基端部９３側の端面は、カバー９０の長手方向に対して直角となっている。上記突起９７は、カバー９０の周方向に均等に設けた複数のもので構成されていてもよく、或いは、カバー９０の全周に亘って環状をなすものでもよい。そして、このカバー９０を備える発光型治療具１２は、カバー９０の先端部９１が患部２００内に挿入されたとき、突起９７が患部２００内で係合することで、患部２００に配置される。すなわち、突起９７が患部２００に係合する係合手段をなしている。
【００４５】
図７（ｃ）のカバー１００は、先端部１０１と、基端部１０３との間の、外周の途中に、軸方向に所定間隔をあけて、基端部１０３側に向けて斜めに突出した、複数の突起１０５が設けられている。なお、各突起１０５の、カバー１００の基端部１０３側の端面は、カバー１００の長手方向に対して直角となっている。前記突起１０５は、カバー１００の周方向に均等に設けたり、或いは、カバー１００の全周に亘って環状に設けたりしてもよい。そして、このカバー１００を備える発光型治療具１３は、カバー１００の先端部１０１が患部２００内に挿入されたとき、軸方向に設けた複数の突起１０５が患部２００内で係合することで、患部２００に配置される。すなわち、カバー８０と一体に設けられた突起１０５が患部２００に係合する係合手段である。
【００４６】
また、図１及び図２に示すように、この実施形態における受電コイル３０は、略円柱状をなした磁性体３１と、この磁性体３１の長手方向両端部外周に取付けられた、円環状をなした一対の電極３５，３５と、磁性体３１の外周で、かつ、電極３５，３５の間に、所定線径の導線を互いに密接するようにして巻き付けられて形成されたコイル３３とから構成されている。前記コイル３３の両端は、電極３５，３５にそれぞれ接続されている。なお、磁性体３１は、内部に貫通孔を設けた円筒状としてもよい。
【００４７】
また、図３（ａ）に示すように、磁性体３１の外径Ｘ３は、好ましくは３ｍｍ以下とされ、より好ましくは２ｍｍ以下とされる。更に、磁性体３１の軸方向に沿った長さＸ４は、好ましくは５ｍｍ以下とされ、より好ましくは３ｍｍ以下とされる。
【００４８】
上記のような磁性体３１は、例えば、酸化鉄、酸化クロム、コバルト、フェライトから形成することができるが、この第１実施形態における磁性体３１は、温度によって透磁率が変化する性質を有しており、受電コイル３０の発電時に、受電コイル３０が所定温度以上になると、その透磁率の変化によって受電効率が低下して、温度が低下するように構成されたものとなっている。例えば、周知の感温磁性フェライト等によって、磁性体３１を形成することもできる。
【００４９】
また、上記コイル３３は、上述したように、導線を互いに密接して巻き付けてなるものであるが、導線間に隙間を設けて磁性体外周に巻き付けて、コイルを形成してもよい。なお、導線の線径としては、好ましくは０．１５ｍｍ以下とされ、より好ましくは０．１０ｍｍ以下とされる。
【００５０】
上記構造をなした受電コイル３０は、フレキシブル配線基板６０に実装されている。このフレキシブル配線基板６０は、柔軟性（可撓性）があり、折り曲げ可能とされている。フレキシブル配線基板６０は、プリント基板であってもよい。この実施形態におけるフレキシブル配線基板６０は長板状をなしており、その長手方向の一端部がＬ字状に折曲されて折曲部６３が設けられている。すなわち、このフレキシブル配線基板６０は、所定長さで長板状に伸びた基部６１と、該基部６１の長手方向一端から、同基部６１に対して直角に折曲して伸びる折曲部６３とからなる。
【００５１】
そして、図１及び図２に示すように、前記受電コイル３０は、その軸方向が、フレキシブル配線基板６０の長さ方向に沿って配置されて、前記一対の電極３５，３５を介して、同フレキシブル配線基板６０の基部６１の内面（折曲部６３の内側に近い面）側に実装されている。なお、このフレキシブル配線基板６０には、特に図示しないが、受電コイル３０の一対の電極３５，３５や、共振コンデンサー４０、複数の発光体５０を、接続するための配線パターンが印刷されている。この配線パターンに、各部品３０，４０，５０が、導電性のはんだや、導電性の接着剤等によって、接続されている。
【００５２】
また、図１に示すように、この実施形態における発光体５０は、フレキシブル配線基板６０の折曲部６３の外側（カバー７０の先端部７１に向く側）に、複数実装されている。ここでは一対の発光体５０，５０が、折曲部６３の幅方向（長手方向に直交する方向）に並列して配置されており、各発光体５０の、光を照射する面である発光面５１が、前記カバー７０の先端部７１に設けた発光部７５の外面に対して、所定距離Ｘ５をあけて配置されるようになっている。なお、発光体５０の発光面５１と、カバー７０の発光部７５の外面との距離Ｘ５（図２参照）は、好ましくは２ｍｍ以下の距離とされ、より好ましくは１ｍｍ以下の距離とされる。また、発光体５０は３つ以上並べて配置してもよい。
【００５３】
上記の発光体５０は、いわゆる発光ダイオード（ＬＥＤ）とされている。また、この発光型治療具１０は、図６に示すように、ガン組織である患部２００に密着配置され、患部２００に選択的に付着された感光物質に、発光体５０により感光性の光を照射することで、患部２００の治療を行う光免疫療法を施すものであるが、この際の感光物質としては、例えばＩＲ７００を用いることができる。この場合、発光体５０により照射される光としては、例えば、波長６８０〜７００ｎｍの近赤外光とされている。また、発光体５０は、その発光強度の放射束が、好ましくは１００ｍＷ以上、且つ、照射時間が１００時間での、累積された（蓄積された）照射エネルギーが、好ましくは２００Ｊ／ｃｍ２以上なるようにされている。なお、発光型治療具１０を用いて、患部２００に光免疫療法を施す場合、発光体５０は、上記発光強度の放射束で、１００時間以上、患部２００への照射を継続できるものであることが好ましい。
【００５４】
更に図１及び図２に示すように、フレキシブル配線基板６０の、折曲部６３の内側（カバー７０の基端部７３に向く側）に、共振コンデンサー４０が配置されている。それに加えて図２に示すように、フレキシブル配線基板６０の、共振コンデンサー４０に対して、折曲部６３と反対側に隣接した位置、すなわち、フレキシブル配線基板６０を構成する基部６１の内面（受電コイル３０が実装された面）であって、共振コンデンサー４０に所定隙間を空けて隣接した位置に、一対の電極３５，３５を介して、前記受電コイル３０が配置されている。
【００５５】
以上説明した第１実施形態の発光型治療具１０においては、図１に示すように、Ｌ字状に折曲したフレキシブル配線基板６０の所定位置に、上述したように各部材がそれぞれ実装されることで、受電コイル３０と、共振コンデンサー４０と、一対の発光体５０，５０とが、フレキシブル配線基板６０の長さ方向に沿って、同一線上に実装されたような構造とされ、また、この状態では、受電コイル３０の一端部に対して、共振コンデンサー４０が所定間隔を空けて対向して配置されるようになっている。
【００５６】
また、図８には、この実施形態の発光型治療具１０の回路図が示されている。この図８に示すように、受電コイル３０の両端部に、共振コンデンサー４０と、一対の発光体５０，５０とがそれぞれ並列して接続されている。また、一対の発光体５０，５０が共振コンデンサーに対して互いに逆向きに接続されており、これらが共振コンデンサー４０及び受電コイル３０に並列に接続されている。また、図８に示す送電手段２０は、導線が渦巻きをなすように巻いて形成されたものであり、共振コンデンサー２１と、インバーター回路２３とが接続された構造となっている。そして、体外に配置された送電手段２０に交流電力が供給されると、その磁束の変化によって、発光型治療具１０の受電コイル３０が発電する。すなわち、送電手段２０に交流電力が供給されて磁界が発生すると、その磁束が発光型治療具１０の受電コイル３０に向けて電磁誘導され無線給電されるので、受電コイル３０が発電し、その電力によって複数の発光体５０が所定波長の近赤外光を照射するようになっている。
【００５７】
上記構造をなした発光型治療具１０は、例えば、図３〜５のような工程で製造することができる。
【００５８】
すなわち、図３（ａ）に示す磁性体３１に、図３（ｂ）に示すように、その長手方向両端部の外周に、電極３５，３５をそれぞれ取付ける。その後、磁性体３１の外周であって、一対の電極３５，３５の間に、導線を巻き付けてコイル３３を形成し、同コイル３３の両端部を電極３５，３５にそれぞれ接続することで、受電コイル３０を製造する。なお、磁性体３１の外周に導線を巻き付けてコイル３３を形成した後、同コイル３３の両端部に接触するように電極３５，３５を取付けることで、受電コイル３０を製造してもよい。
【００５９】
一方、図４（ａ）に示すように、長板状をなし所定の配線パターンが予め印刷された、フレキシブル配線基板６０の先端部（折曲部６３となる部分）の一方の面に、一対の発光体５０，５０を配置して、周知のリフローはんだ付けによって、フレキシブル配線基板６０に実装する。
【００６０】
その後、図４（ｂ）に示すように、フレキシブル配線基板６０の先端部の他方の面（発光体５０，５０の配置面とは反対側の面）に、共振コンデンサー４０を配置すると共に、一対の電極３５，３５を介して受電コイル３０を配置して、リフローはんだ付けによって、共振コンデンサー４０及び受電コイル３０を、フレキシブル配線基板６０にそれぞれ実装する。
【００６１】
なお、フレキシブル配線基板６０に対する各部品３０，４０，５０の接続は、上述したような、リフローはんだではなく、例えば、導電性の接着剤等によって行ってもよい。また、この実施形態では、フレキシブル配線基板６０に発光体５０を実装した後、共振コンデンサー４０及び受電コイル３０を実装しているが、この場合、使用するはんだを、融点が異なるものとすることが好ましい。例えば、図４（ａ）に示すように、フレキシブル配線基板６０に発光体５０を実装する際には、高融点のはんだを用い、図４（ｂ）に示すように、フレキシブル配線基板６０に受電コイル３０や共振コンデンサー４０や実装する場合には、発光体５０をフレキシブル配線基板６０に実装する際のはんだよりも、低融点の、共晶はんだを用いることができる。
【００６２】
そして、上記の図４（ｂ）に示す状態から、基部６１に対して折曲部６３を、Ｌ字状をなすように折曲させることで、図４（ｃ）に示すように、折曲部６３の外側に一対の発光体５０，５０が配置され、同折曲部６３の内側に共振コンデンサー４０が配置されると共に、基部６１の内面側に配置された受電コイル３０の一端部に対して、共振コンデンサー４０が所定間隔を空けて対向して配置された状態となる。
【００６３】
上記のように、受電コイル３０、共振コンデンサー及び発光体５０を実装したフレキシブル配線基板６０を、複数個用意する。そして、図５（ａ）に示すように、カバー７０の外周形状を形成するための内周形状を有し、互いに近接離反可能とされた上下一対の射出成型用の金型１５０，１６０内に、各フレキシブル配線基板６０をそれぞれセットする。この状態では、図５（ａ）に示すように、金型１６０の支持部１６５に、フレキシブル配線基板６０の基端６５が支持されている。
【００６４】
次いで、図５（ｂ）に示すように、一対の金型１５０，１６０を近接させ、金型１６０の支持部１６５に支持されたフレキシブル配線基板６０の基端６５を挟持させて、一対の金型１５０，１６０を閉じる。その状態で、金型１５０，１６０のキャビティ１７０内に透明な樹脂材料を充填する。その結果、受電コイル３０、共振コンデンサー４０、及び発光体５０を実装したフレキシブル配線基板６０の全体が、透明な樹脂材料で埋設され、透明な樹脂材料からなるカバー７０で覆われた発光型治療具１０を製造することができる（図５（ｂ）参照）。その後、一対の金型１５０，１６０を開くことで、型内から発光型治療具１０を取り出し、それぞれの発光型治療具１０を連結するフレキシブル配線基板６０のはみ出た部分をカットして分離することにより、発光型治療具１０を製造できる（図５（ｃ）参照）。なお、図１，２，６では、便宜上、カバー７０の先端側に埋設される、フレキシブル配線基板６０の基端６５については省略する。
【００６５】
上記のように、この実施形態では、カバー７０を射出成形で一体形成するようにしたが、例えば、カバーを、半割状の２つのカプセル体からなるカプセル状として、一方のカプセル体に、各部材を実装したフレキシブル配線基板を挿入した後、他方のカプセル体を被せて、カバー内にフレキシブル配線基板を収容するようにしてもよい。この場合、半割状の２つのカプセル体は、軸方向に沿って縦方向に分割されたものであってもよく、軸方向の途中を横断するように分割されたものであってもよい。
【００６６】
また、この実施形態では、受電コイル３０を構成する磁性体３１は、温度によって透磁率が変化する性質を有し、受電コイル３０の発電時に、受電コイル３０が所定温度以上になると、その透磁率の変化によって受電効率が低下して、温度が低下するように構成されている。それによって、受電コイル３０が所定温度以上になることを防ぐ、過温度保護機能を付与されている。このような磁性体３１としては、例えば、感温磁性フェライト等を用いることができる。ただし、多くの磁性体は、一般的に、多かれ少なかれ、温度によって透磁率が変化する特性を有しているので、通常の磁性体を用いた場合でも、例えば、次のような構成とすることで、過温度保護機能を付与することができる。
【００６７】
すなわち、この発光型治療具で採用した、受電コイル３０及び共振コンデンサー４０により構成される共振回路の、共振周波数特性のピークの鋭さを表す値として、Ｑ値があるが、このＱ値は下記の数式１で示される。ここで、ωは角周波数（ｒａｄ／ｓ）、Ｌは受電コイル３０のインダクタンス（Ｈ）、Ｒは受電コイル３０の抵抗（Ω）、ｆは共振周波数（Ｈｚ）である。
【数１】
2019130166.tif 000003
【００６８】
上記のＱ値が高い場合には、図１２（ａ）に示すように、周波数がある範囲（ここでは受電効率９５％）を少しでもずれると、受電量が急激に低下するという性質（ピーキーな性質）を有する。なお、図１２（ａ）の横軸は、送電手段２０における周波数（Ｈｚ）であり、縦軸は発光型治療具の受電コイル３０による受電量又は受電効率を示している。すなわち、送電手段２０における周波数と、発光型治療具の受電コイル３０における周波数とを、ほぼ一致させることができる場合には、高い受電量を得ることができ、発光体５０を十分に発光させることができるが、そうでない場合には、受電量が急激に低くなるため、発光体５０を発光させることができず、また、発光できても十分な発光強度が得られない。
【００６９】
また、図１２（ｂ）には、受電コイル３０磁性体３１の温度特性が、正特性（温度が上がると透磁率が増える性質）を有する場合の、透磁率と温度との関係が示されており、図１２（ｃ）には、受電コイル３０磁性体３１の温度特性が、負特性（温度が上がると透磁率が減る性質）を有する場合の、透磁率と温度との関係が示されている。また、図１２（ａ）における受電効率９５％での周波数を「ａ」，「ｂ」とし、これを図１２（ｂ），（ｃ）に対応させて適用した場合に、「ａ」，「ｂ」における透磁率を「μａ」，「μｂ」とする。更に磁性体３１は、その温度が２５〜３５℃となる場合に、透磁率が「μａ」となり、温度が４２℃となる場合に、透磁率が「μｂ」となるものとする。したがって、送電手段２０からの送電電力が上昇して、受電コイル３０の温度が４２℃を超えようとした場合には、受電量が急激に低下するので、受電コイル３０の温度が４２℃以上に上昇することを防止して、過温度保護機能を発揮させることができる。
【００７０】
次に、本発明の発光型治療具１０の作用や効果について説明する。
【００７１】
まず、すなわち、抗体と感光物質（例えば、ＩＲ７００）との結合体を、静脈注射等により体内に投与して、この結合体を患部２００（ここではガン細胞）に付着させる。その後、発光型治療具１０を、人体を切開したり、或いは、複数のシースやカテーテル等を用いた周知の方法によって、体内の患部２００（ここではガン組織）に対して、発光型治療具１０の、カバー７０の発光部７５を接触させ又は近接させて配置する。また、この発光型治療具１０はカプセル状をなしているので、口から飲み込んで患部に到達させてもよい。ここでは図６に示すように、発光体５０を患部２００に向けて、発光型治療具１０の先端部（カバー７０の先端部７１）を患部２００内に挿入すると共に、患部２００から突出したカバー７０の外周部分と患部２００とを、生体用接着剤３００で接着することで、発光型治療具１０を配置する。この際、図６に示すように、複数の発光型治療具１０を配置してもよい。例えば、一対の発光型治療具１０，１０を、その発光部７５を設けたカバー７０の先端部７１，７１どうしが互いに向き合うようにして配置してもよい。
【００７２】
そして、人体の外部に配置された、送電手段２０に交流電力が供給され、それによって変化する磁界が発生して、その磁束が発光型治療具１０の受電コイル３０に電磁誘導され、無線給電によって受電コイル３０が発電し、その電力によって複数の発光体５０が所定波長の光、例えば近赤外光を照射する。その結果、患部２００に付着されたＩＲ７００等の感光物質を反応させて、患部２００に対して光免疫療法を施して、患部２００に治療効果を付与することができる。
【００７３】
そして、この発光型治療具１０においては、図１や図２に示すように、受電コイル３０と、共振コンデンサー４０と、発光体５０とが、フレキシブル配線基板６０に実装されているので、フレキシブル配線基板６０を屈曲又は折曲させることにより、レイアウト上コンパクトとなるように、かつ、発光面５１が所望の方向を向くように発光体５０を設置することができ、コンパクトな形状やサイズとした発光型治療具１０を得ることができる。また、この発光型治療具１０においては、受電コイル３０と、共振コンデンサー４０と、発光体５０とが、フレキシブル配線基板６０に実装され、これらがフレキシブル配線基板６０上に印刷された配線を介して接続されているので、受電コイル３０や、共振コンデンサー４０、発光体５０を、導線を介して接続するといった煩雑で面倒な作業が必要なく、発光型治療具１０の生産性を高めて、製造コストの低減を図ることができる。
【００７４】
また、図１に示すように、この発光型治療具１０においては、フレキシブル配線基板６０上に、複数の発光体５０（ここでは左右一対の発光体５０，５０）が実装されている。このように、発光体５０を複数有することにより、その発光強度を高めたり、複数の方向に発光させたりすることができる。
【００７５】
更に図１や図２に示すように、この発光型治療具１０としては、カバー７０は、所定方向に長く伸びるカプセル状をなしており、フレキシブル配線基板６０は長板状をなし、その長手方向の一端部がＬ字状に折曲されて折曲部６３が設けられており、折曲部６３の外側に発光体５０が装着されてカバー７０の先端部７１に配置され、カバー７０の先端部７１に発光部７５が設けられている。このように、フレキシブル配線基板６０の、Ｌ字状の折曲部６３の外側に発光体５０が配置され、発光体５０がカバー７０の先端部７１に位置しているので、発光型治療具１０の更なるコンパクト化を図ることができる。また、カバー７０の先端部７１に発光部７５が設けられているので、発光部７５を患部２００に向けて配置しやすくすることができる。
【００７６】
更に図１及び図２に示すように、折曲部６３の内側に、共振コンデンサー４０が配置されており、フレキシブル配線基板６０の、共振コンデンサー４０に対して折曲部６３と反対側に隣接した位置に、受電コイル３０が配置されている。そのため、カプセル状をなしたカバー７０内において、発光体５０と、共振コンデンサー４０と、受電コイル３０とを、カバー７０内のスペースを有効に活用した、効率的なレイアウトで配置することでき、発光型治療具１０の更なるコンパクト化を図ることができる。
【００７７】
また、発光体５０は、その発光強度の放射束が１００ｍＷ以上で、且つ、照射時間１００時間での、累積の照射エネルギーが２００Ｊ／ｃｍ２以上となるようにされているので、患部２００に対して、光免疫療法に有効とされる、十分な発光強度及びエネルギーで、所定波長の光を照射することができ、光免疫療法の治療効果を高めることができる。また、照射時間を１００時間としたときの、累積された照射エネルギーが２００Ｊ／ｃｍ２以上となるようにされているため、発光体５０を連続して発光させる必要がなく、断続的に所定時間だけ発光させて、照射時間１００時間での累積で２００Ｊ／ｃｍ２以上とすればよいので、治療が簡単となり、患者の負担を減らすことができる。例えば、送電手段２０を自宅に設置して、患者の所望のタイミング（睡眠中等）で発光させることで、自宅で治療を施すことができ、また、病院に入院しなくとも、病院に通院して所定時間だけ治療を受けることもできる。このように、患者の希望のタイミングで、いつでもどこでも簡単に治療を行うことが可能となるため、患者の負担を減らすことができる。
【００７８】
更に、この発光型治療具１０は、ガン組織からなる患部２００に密着して配置されて、患部２００に選択的に付着された感光物質に、発光体５０によって、感光性の光を照射するために用いられるものである。したがって、ガン組織からなる患部２００に選択的に付着された感光物質に、発光体５０によって、感光性の光を近接して長時間にわたって効果的に照射することができるので、照射エネルギーを多くすることができ、感光物質の光反応によってガン組織を効果的に破壊することができる。
【００７９】
また、図２に示すように、この発光型治療具１０は、発光体５０の発光面５１は、カバー７０の発光部７５の外面に対して、２ｍｍ以下の距離（図２のＸ５参照）となるように配置されている。そのため、発光体５０の発光面５１が、患部２００に近接した位置となるように発光型治療具１０を配置することができ、光免疫療法の治療効果をより高めることができる。
【００８０】
また、図６に示すように、この発光型治療具１０は、カバー７０の発光部７５の外面は、患部２００に対して接着性を有する生体用接着剤３００に、接着可能な材料で形成されている。そのため、例えば、人体を切開した後、患部２００に発光型治療具１０を配置して、生体用接着剤３００によって、カバー７０の発光部７５の外面と、患部２００とを接着することで、患部２００に発光部７５を密着させて配置することができ、光免疫療法の治療効果をより高めることができる。
【００８１】
なお、図７（ａ）〜（ｃ）に示すように、カバー８０，９０，１００の外周に、患部２００に係合する係合手段を設けた形状とした、発光型体治療具１１，１２，１３については、以下のような作用効果を奏する。すなわち、これらの発光型治療具１１，１２，１３を患部２００に配置すべく、その先端部側（発光体５０の設置側）を患部２００に対して挿入して、突起８５，９５，９７，１０５が患部２００内に位置するまで押し込むことで、突起８５，９５，１０５が患部２００の内部に係合するので、各発光型治療具１１，１２，１３を患部２００に密着させて配置することができる。このように、カバー８０，９０，１００の外周に、患部２００に係合する係合手段が設けられているので、カバー８０，９０，１００をそのまま発光型治療具１１，１２，１３の配置作業に活用することができるため、例えば、人体を切開した後、患部２００に発光型治療具１１，１２，１３を挿入し押し込むだけの簡単な作業で、係合手段である上記突起８５，９５，９７，１０５を介して、患部２００に係合させることができ、発光型治療具１１，１２，１３の配置作業の迅速化を図ることができる。また、各カバー８０，９０，１００に設けた、突起８５，９７，１０５は、基端部８３，９３，１０３側に向けて斜めに伸びる、釣り針のような返し形状となっているので、患部２００から発光型治療具１１，１２，１３が抜け出ようとしても、患部２００内部に引っ掛かるので、各発光型治療具１１，１２，１３を患部２００から抜けにくくして、所定位置に維持しやすくなるという効果が得られる。
【００８２】
更に、図７（ａ）〜（ｃ）に示す発光型治療具１１，１２，１３は、上記のような突起８５，９７，１０５を有しているので、例えば、各治療具１１，１２，１３を注射器内に収容して、注射針を患部に刺し、各治療具１１，１２，１３を先端部側から押し込むことで、各治療具１１，１２，１３の突起８５，９７，１０５が患部内に係合するため、体外から各治療具１１，１２，１３を、患部内に直接挿入して配置することができる。なお、発光型治療具１２の場合は、先端部９１の最先端が鋭利な突起９５をなしているので、上記のように体外から直接患部内に挿入する際に、特に挿入しやすい。
【００８３】
また、この発光型治療具１０においては、受電コイル３０を構成する磁性体３１は、温度によって透磁率が変化する性質を有しており、受電コイル３０の発電時に、受電コイル３０が所定温度以上になると、透磁率の変化によって受電効率が低下して温度が低下するように構成されている。このように、磁性体３１は、温度によって透磁率が変化する性質を有しており、受電コイル３０の発電時に、受電コイル３０が所定温度以上になると、透磁率の変化によって受電効率が低下して温度が低下するように構成されているので、受電コイル３０が所定温度以上になることを防ぐ、すなわち、過温度保護機能を付与することができる。
【００８４】
次に、図９及び図１０を参照しながら、本発明の発光型治療具の、第２実施形態について詳しく説明する。
【００８５】
なお、図９（ａ）には、第２実施形態の発光型治療具の断面説明図、図９（ｂ）はフレキシブル配線基板及びそれに実装された発光体等の斜視図、図１０には、第２実施形態の発光型治療具の使用状態を示す説明図が、それぞれ示されている。
【００８６】
図９（ａ）に示すように、この第２実施形態の発光型治療具１４は、チューブ状をなしたチューブステント１８０を有している。このチューブステント１８０は、長さ方向の両端部に、複数の体液流通穴１８１が形成されており、体内の体液を、チューブステント１８０の内部空間を通して流通可能となっている。また、チューブステント１８０の体液流通穴１８１よりも長さ方向の端部側には、渦巻き状をなした係止部１８１，１８１がそれぞれ設けられており、体内の内壁に係止させて所定位置に配置させるものである（なお、図１０においては、説明の便宜上、体内の内壁２２０には係止しないようになっているが、内壁２２０に係止させてもよい）。
【００８７】
また、図９（ｂ）に示すように、この実施形態のフレキシブル配線基板６６は、所定幅で且つ所定長さで伸びる長方形の板状をなしており、チューブステント１８０の外周に円筒状をなすように巻かれて、略円筒状に形成されている。このフレキシブル配線基板６６の表面（筒形状の外面側）の所定箇所には、その外周に沿って、複数の発光体５０が所定間隔で実装されており、また、共振コンデンサー４０や、受電コイル３０も実装されている。なお、受電コイル３０を構成する磁性体３１は円筒状をなしており、その内周にフレキシブル配線基板６６が丸めた状態で挿入されて、フレキシブル配線基板６６の外周に磁性体３１が配置されるようになっている。また、磁性体３１の外周にコイル３３が形成されており、このコイル３３の長手方向両端から伸びる端線３３ａ，３３ａが、電極３５，３５に接続されている。更に、図９（ａ）に示すように、受電コイル３０や共振コンデンサー４０、複数の発光体５０を実装した円筒状のフレキシブル配線基板６６が、チューブステント１８０の外周に巻き付けられて接着剤等を介して固定されると共に、前記フレキシブル配線基板６６の外周が、透明性を有する一体性の樹脂からなるカバー７７によって被覆されている。また、カバー７７の、複数の発光体５０に対応する部分が、発光部７５をなしている。
【００８８】
上記のように、この実施形態の発光型治療具１４によれば、フレキシブル配線基板６６は、チューブステント１８０の外周に巻かれるようにして配置される筒状をなしているので、チューブステント１８０の外周に、複数の発光体５０装着された発光型治療具１４を、容易に製造することができる。
【００８９】
また、上記発光型治療具１４は、例えば、管状器官の内壁２２０に生成されたガン組織等の患部２００に光免疫療法を施すべく、内視鏡やカテーテル等を介して管状器官内に挿入されて、患部２００の内周に、複数の発光体５０が位置するように配置される。このとき、この発光型治療具１４においては、上記のような管状器官に挿入することにより、その患部２００に発光部７５を密接させた状態で配置することができるので、光免疫療法を効果的に施すことができる。
【００９０】
次に、図１１を参照しながら、本発明の発光型治療具の、第３実施形態について詳しく説明する。
【００９１】
なお、図１１（ａ）には、第３実施形態の発光型治療具の断面説明図、（ｂ）はフレキシブル配線基板及びそれに実装された発光体等の斜視図、（ｃ）は（ｂ）の展開図が、それぞれ示されている。
【００９２】
図１１（ｃ）に示すように、この実施形態の発光型治療具１５におけるフレキシブル配線基板６７は、矩形状をなした第１面６７Ａを有しており、この第１面６７Ａの上辺、右辺、下辺、左辺に、折り曲げ線６８を介して、第１面６７Aと同形状をなした、第２面６７Ｂ、第３面６７Ｃ、第４面６７Ｄ、第５面６７Ｄがそれぞれ形成されており、展開したときに略十字状をなしている。また、各面６７Ａ，６７Ｂ，６７Ｃ，６７Ｄ，６７Ｅには、発光体５０がそれぞれ実装されており、更に第３面６７Ｃには、発光体５０に隣接した位置に共振コンデンサー４０が実装されている。
【００９３】
そして、図１１（ｂ）に示すように、第１面６７Ａの各辺に対して、複数の折り曲げ線６８を介して、各面６７Ｂ，６７Ｃ，６７Ｄ，６７Ｅをそれぞれ折曲させることで、図１１（ｂ）に示すような箱型に折曲されたフレキシブル配線基板６７が構成されるようになっている。また、箱型に折曲されたフレキシブル配線基板６７の、第１面６７Ａとは反対側の箇所には、受電コイル３０がその端部を接触させた状態で実装されるようになっている（図１１（ａ）参照）。
【００９４】
そして、この第３実施形態の発光型治療具１５においては、箱型をなすフレキシブル配線基板６７の外周面側に、複数の発光体５０が実装されているので、発光型治療具１５を患部２００に埋め込むように配置したり、或いは、口から発光型治療具１５を飲み込んで、消化器系等の患部２００に到達させることにより、患部２００に対して効果的に光を照射することができる。
【００９５】
以上説明した本発明の態様は、その実施形態に限定されるものではない。すなわち、本発明の要旨の範囲内において、各種の変形実施形態が可能であり、それらの変形実施形態も本発明の範囲に含まれるものである。
【符号の説明】
【００９６】
１０，１１，１２，１３，１４，１５  発光型治療具
２０  送電手段
２１  共振コンデンサー
２３  インバーター回路
３０  受電コイル
３１  磁性体
３３  コイル
３３ａ  端線
３５  電極
４０  共振コンデンサー
５０  発光体
５１  発光面
６０，６６，６７  フレキシブル配線基板
６１  基部
６３  折曲部
６５  基端
６６  フレキシブル配線基板
６７  フレキシブル配線基板
６７Ａ  第１面
６７Ｂ  第２面
６７Ｃ  第３面
６７Ｄ  第４面
６７Ｅ  第５面
６８  折り曲げ線
７０，７８，８０，９０，１００  カバー
７１，８１，９１，１０１  先端部
７３，８３，９３，１０３  基端部
７５  発光部
７７  カバー
８５，９３，９５，１０５  突起
１５０，１６０  金型
１６５  支持部
１７０  キャビティ
１８０  チューブステント
１８１  体液流通穴
１８１  係止部
２００  患部
２２０  内壁
３００  生体用接着剤
【図１】
2019130166.tif 000004
【図２】
2019130166.tif 000005
【図３】
2019130166.tif 000006
【図４】
2019130166.tif 000007
【図５】
2019130166.tif 000008
【図６】
2019130166.tif 000009
【図７】
2019130166.tif 000010
【図８】
2019130166.tif 000011
【図９】
2019130166.tif 000012
【図１０】
2019130166.tif 000013
【図１１】
2019130166.tif 000014
【図１２】
2019130166.tif 000015